(57)【要約】【課題】ゴルフボールパッケージ（ゴルフボールを収納した容器）に装着されるゴルフボールパッケージ用装飾体であって、立体的である上、動作を行い、そのため装飾体としての面白みを有する装飾体を提供する。【解決手段】折り目２に沿って折りたたまれる表表紙４および裏表紙６と、基端部が表表紙または裏表紙の内面に取り付けられ、かつ先端部にゴルフボール様片８が装着されたバー体１０とを具備し、折りたたまれた表表紙を開くにしたがって、バー体の先端部が漸次上昇するゴルフボールパッケージ用装飾体とする。【選択図】        図１
2004323076.tif 000002
【特許請求の範囲】
【請求項１】
折り目に沿って折りたたまれる表表紙および裏表紙と、基端部が前記表表紙または裏表紙の内面に取り付けられた上昇部材とを具備し、折りたたまれた表表紙を開くにしたがって、前記上昇部材の先端部が漸次上昇することを特徴とするゴルフボールパッケージ用装飾体。
【請求項２】
折り目に沿って折りたたまれる表表紙および裏表紙と、基端部が前記表表紙または裏表紙の内面に取り付けられ、かつ先端部にゴルフボール様片が装着されたバー体とを具備し、折りたたまれた表表紙を開くにしたがって、前記バー体の先端部が漸次上昇することを特徴とするゴルフボールパッケージ用装飾体。
【請求項３】
前記表表紙の内面および外面ならびに前記裏表紙の内面および外面から選ばれる少なくとも１つの面に、ＵＶ塗料による表示がなされていることを特徴とする請求項１または２に記載のゴルフボールパッケージ用装飾体。
【発明の詳細な説明】
【０００１】
【発明の属する技術分野】
本発明は、ゴルフボールパッケージ（ゴルフボールを収納した容器）に装着されるゴルフボールパッケージ用装飾体に関する。
【０００２】
【従来の技術】
従来、ゴルフボールを箱などの容器に収納して人にプレゼントすることが行われている。この場合、ゴルフボールを収納した容器を包み紙で包装し、その包装紙にメッセージ等を書いたカードを貼り付けることが行われている。
【０００３】
【発明が解決しようとする課題】
しかし、前述したメッセージ等を書いたカードは、装飾された紙にメッセージ等が書かれているだけなので、平面的である上、動作を行わないものであり、装飾体としての面白みに欠けるものであった。
【０００４】
本発明は、前述した事情に鑑みてなされたもので、立体的である上、動作を行い、そのため装飾体としての面白みを有するゴルフボールパッケージ用装飾体を提供することを目的とする。
【０００５】
【課題を解決するための手段】
本発明は、前記目的を達成するため、折り目に沿って折りたたまれる表表紙および裏表紙と、基端部が前記表表紙または裏表紙の内面に取り付けられ、かつ先端部にゴルフボール様片が装着されたバー体とを具備し、折りたたまれた表表紙を開くにしたがって、前記バー体の先端部が漸次上昇することを特徴とするゴルフボールパッケージ用装飾体を提供する。
【０００６】
本発明のゴルフボールパッケージ用装飾体は、開閉可能な表表紙および裏表紙と、バー体とを有し、立体的である上、折りたたまれた表表紙を開くにしたがってバー体の先端部が漸次上昇し、バー体の先端部に装着されたゴルフボール様片が、あたかもヒットされたゴルフボールのように上昇していくという動作を行うため、装飾体としての面白みを有する。この場合、バー体を透明にすると、特に空中を飛んでいるかのように見え好ましい。
【０００７】
本発明のゴルフボールパッケージ用装飾において、上述した折りたたまれた表表紙を開くにしたがってバー体の先端部が漸次上昇するという動作を行う機構に特に限定はなく、任意の機構を採用することができる。
【０００８】
また、前述したバー体およびゴルフボール様片は、他の部材としてもよい。したがって、本発明は、折り目に沿って折りたたまれる表表紙および裏表紙と、基端部が前記表表紙または裏表紙の内面に取り付けられた上昇部材とを具備し、折りたたまれた表表紙を開くにしたがって、前記上昇部材の先端部が漸次上昇することを特徴とするゴルフボールパッケージ用装飾体をも提供する。
【０００９】
さらに、本発明のゴルフボールパッケージ用装飾体は、表表紙の内面および外面ならびに裏表紙の内面および外面から選ばれる少なくとも１つの面に、ＵＶ塗料による表示がなされていることが好ましい。すなわち、従来は、特別な日にプレゼントとしてゴルフボールを贈る場合に、梱包用の箱とは別に、さらに梱包用のパッケージを作る必要があった。したがって、梱包用のパッケージにメッセージを付するようなサービスは、ゴルフボール購入者の、別に発注するパッケージ費用を削減できるとともに、贈られた者にとっても、独自の物としてたいへん嬉しいものとなる。そのため、本発明では、表表紙や裏表紙の面に、ＵＶ塗料による表示を行うことが好ましい。
【００１０】
ＵＶ塗料（紫外線硬化型樹脂）とは、紫外線のエネルギーによって硬化乾燥する塗料である。ＵＶ塗料は、一般に、２５０〜４５０ｎｍ程度の非常に短い波長の紫外線により硬化する。紫外線照射には、高圧水銀灯を利用することが多いが、マキシマレーザー（波長２４８〜３５１ｎｍ）を用いることで、ＵＶ塗料を硬化させることができる。このようにマキシマレーザーによりＵＶ塗料を硬化させる場合、表表紙や裏表紙の面に予めＵＶ塗料を塗布しておき、マスキング法やスキャン法を用いることで、マスキングされずに直接レーザー光が当たった部分によって、またはレーザー光をスキャニングするなどして、文字などの表示を表表紙や裏表紙の面に付すことができる。また、パット印刷やスクリーン印刷にＵＶ塗料を使用し、紫外線やマキシマレーザーを照射することもできる。
【００１１】
ＵＶ塗料としては、不飽和ポリエステル樹脂をスチレンに溶解し、これに光重合開始剤を加えた不飽和ポリエステル樹脂系ＵＶ塗料や、アクリル酸オリゴマーとアクリル酸プレポリマーの混合物に光重合開始剤を加えたアクリル型ＵＶ塗料等を挙げることができる。ＵＶ塗料による塗膜に紫外線やマキシマレーザーが照射されると、光重合開始剤が紫外線やマキシマレーザーを吸収し、そのエネルギーでラジカルに変化する。この変化したラジカルは、例えば、アクリル酸オリゴマーとアクリル酸プレポリマーに働きかけて、いわゆるラジカル重合反応を起こし、液状の塗料が固形の塗膜となる。したがって、非硬化部分を除去すると、硬化部分による表示が残る。
【００１２】
なお、本発明の装飾体において、表表紙や裏表紙は、例えば、表面に着色された着色層と表面を保護する樹脂フィルム層とを有する紙、すなわち紙（基体）／着色層／樹脂フィルム層からなる紙や、紙（基体）／樹脂フィルム層／着色層からなる紙により作製することができる。基体の紙に染み込むような着色とは異なり、上記着色層は、主に色をつけるための顔料とそれを層として形成する樹脂とからなっている（この着色層を形成するのにはＵＶ塗料が好ましい）。そして、表表紙や裏表紙の面にＵＶ塗料による表示を行い、紙（基体）／着色層／樹脂フィルム層／ＵＶ塗料による表示という構成や、紙（基体）／樹脂フィルム層／着色層／ＵＶ塗料による表示という構成にすることができる。しかし、表表紙や裏表紙は、他の任意の材料で作製することができる。
【００１３】
【発明の実施の形態】
以下に、本発明の好適な実施形態につき図面を参照して説明する。図１は、本発明に係るゴルフボールパッケージ用装飾体の一例を示す概略図である。本例の装飾体は、折り目２に沿って折りたたまれる表表紙４および裏表紙６と、基端部が裏表紙６の内面に取り付けられ、かつ先端部にゴルフボール様片８が装着されたバー体１０とを具備する。表表紙４および裏表紙６は紙により一体に形成されている。ゴルフボール様片８は前面にゴルフボールの写真が印刷された紙製のもの、バー体１０は透明プラスチック製のものである。また、図示していないが、表表紙４の内面、表表紙４の外面および裏表紙６の内面には、それぞれＵＶ塗料による表示がなされている。
【００１４】
本例の装飾体は、折りたたまれた表表紙４を開くにしたがって、バー体１０の先端部が漸次上昇するようになっている。すなわち、図１（ａ）は表表紙を閉じた状態、（ｂ）は表表紙を４５°程度開いた状態、（ｃ）は表表紙を９０°程度開いた状態を示すものであるが、本例の装飾体は、（ａ）のように表表紙を閉じた状態から、（ｂ）、（ｃ）のように表表紙を開いていくと、まず（ｂ）のようにバー体１０の先端部がやや上昇し、その後（ｃ）のようにバー体１０の先端部がさらに上昇するもので、これによりバー体１０の先端部に装着されたゴルフボール様片８が、あたかもヒットされたゴルフボールのように上昇していくものである。
【００１５】
本例では、折りたたまれた表表紙４を開くにしたがってバー体１０の先端部が漸次上昇するという動作を行う機構に、図２に示す部材を用いている。図２の部材２０は、紙により一体に形成されたもので、外面が表表紙４の内面に貼り付けられる略台形の第１エリア２２と、第１エリア２２に隣接し、外面が裏表紙６の内面に貼り付けられる略台形の第２エリア２４と、第１エリア２２に隣接する三角形の第３エリア２６と、第２エリア２４および第３エリア２６に隣接する三角形の第４エリア２８と、第４エリア２８に隣接する略台形の第５エリア３０とを備え、第５エリア３０にバー体１０の基端部が接着されている。
【００１６】
そして、第１エリア２２と第２エリア２４との間の折り目３２と、前述した表表紙４と裏表紙６との間の折り目２とを合わせた状態で、第１エリア２２の外面を表表紙４の内面に接着し、第２エリア２４の外面を裏表紙６の内面に接着してある。また、第１エリア２２と第２エリア２４との間の折り目３２を谷折り、第１エリア２２と第３エリア２６との間の折り目３４を谷折り、第２エリア２４と第４エリア２８との間の折り目３６を谷折り、第３エリア２６と第４エリア２８との間の折り目３８を山折り、第４エリア２８と第５エリア３０との間の折り目４０を谷折りにしてある。
【００１７】
したがって、図１（ａ）のように表表紙４を閉じた状態では、図３のように、第３エリア２６および第４エリア２８が第１エリア２２および第２エリア２４に挟まれた状態で部材２０が折りたたまれ、バー体１０は表表紙４と裏表紙６との間に挟まれている。また、図１（ｂ）、（ｃ）のように表表紙４を開いていくと、図４のように裏表紙６と第５エリア３０とのなす角度θが漸次増大し、それに応じてバー体１０の先端部が漸次上昇する。
【００１８】
本例のゴルフボールパッケージ用装飾体は、例えば、裏表紙６の外面をゴルフボール収納箱や、ゴルフボール収納箱を収容する四角枠材などに固着して用いることができるが、装飾体の使用法はこれらに限定されるものではない。
【００１９】
なお、表表紙を開くにしたがってバー体の先端部を漸次上昇させる機構は上記例に限定されるものではなく、他の機構を採用してもよい。また、本例では前述したバー体に加え、図５に示すように、前面にフェアウエイの写真などが印刷され、表表紙４を開いたときに垂直に立ち上がる紙製の飾り板５０を配設してもよい。この飾り板５０は、表表紙４の開閉にしたがって開閉する断面四角形の紙製の枠体５２を介して表表紙４および裏表紙６に取り付けられている。この場合、飾り板５０と枠体５２とは一体に形成され、枠体５２の外面が表表紙４の内面、裏表紙６の内面、飾り板５０の裏面にそれぞれ接着されている。さらに、本発明の装飾体は、バー体とゴルフボール様片とを一体に形成してもよく、裏表紙とゴルフボールパッケージの面とを一体に形成してもよい。
【００２０】
【発明の効果】
以上のように、本発明のゴルフボールパッケージ用装飾体は、立体的である上、動作を行い、そのため装飾体としての面白みを有する。
【図面の簡単な説明】
【図１】本発明に係るゴルフボールパッケージ用装飾体の一例を示す概略図である。
【図２】同装飾体のバー体上昇機構に用いる部材を示す展開図である。
【図３】同部材を折りたたんだ状態を示す正面図である。
【図４】同部材を開いた状態を示す正面図である。
【図５】ゴルフボールパッケージ用装飾体に飾り板を付加した状態を示すもので、（ａ）は側面図、（ｂ）は平面図である。
【符号の説明】
２  折り目
４  表表紙
６  裏表紙
８  ゴルフボール様片
１０  バー体
【図１】
2004323076.tif 000003
【図２】
2004323076.tif 000004
【図３】
2004323076.tif 000005
【図４】
2004323076.tif 000006
【図５】
2004323076.tif 000007